(57)【特許請求の範囲】
【請求項１】
容器本体の上部開口に被着される栓体と、該栓体の上側にヒンジにて開閉可能に連結され、前記栓体の天板に開口する抽出口を液密に覆う蓋体とを備え、前記ヒンジと反対側に前記蓋体の全閉状態を保持するロック手段を備えた飲料用容器の中栓において、
前記蓋体にボス部を突設し、該ボス部に非金属製材料により形成した弾性部材を嵌合装着したものであって、前記蓋体を全閉した際には、前記ボス部に嵌合装着された前記弾性部材が、前記栓体に弾接する状態とし、前記ロック手段を解除した際には、前記蓋体を開方向へ付勢するようにし、
前記弾性部材の長さは、前記蓋体を全開から全閉の方向へ回動したときに、全閉位置よりもやや手前の時点で、その下端が前記天板に当接するよう設定され、
前記栓体には、前記ロック手段と反対側に係合リブが形成されており、前記ロック手段の解除操作によって前記弾性部材に弾発される前記蓋体は、該蓋体の爪片が前記係合リブに係合して、前記蓋体を１８０度以上の開位置に保持するように設けられていることを特徴とする飲料用容器の中栓。
【請求項２】
容器本体の上部開口に被着される栓体と、該栓体の上側にヒンジにて開閉可能に連結され、前記栓体の天板に開口する抽出口を液密に覆う蓋体とを備え、前記ヒンジと反対側に前記蓋体の全閉状態を保持するロック手段を備えた飲料用容器の中栓において、
前記栓体の前記天板上面に筒状の飲み口を突出して設け、該飲み口の内部を前記注出口となすとともに、該飲み口の上端面を前記ロック手段側が高くヒンジ側が低いテーパ状にカットすると共に、前記蓋体にボス部を突設し、該ボス部に非金属製材料により形成した弾性部材を嵌合装着したものであって、前記蓋体を全閉した際には、前記ボス部に嵌合装着された前記弾性部材が、前記栓体に弾接する状態とし、前記ロック手段を解除した際には、前記蓋体を開方向へ付勢するようにし、
前記蓋体の天板は、前記飲み口のテーパ状にカットされた前記上端面と略同角度で形成され、前記蓋体の内側には、前記上端面に弾接して液密にシールするパッキンを設け、該パッキンは、前記上端面よりも大径な球面状に形成され、
前記弾性部材の長さは、前記蓋体を全開から全閉の方向へ回動したときに、全閉位置よりもやや手前の時点で、その下端が前記天板に当接するよう設定され、
前記栓体には、前記ロック手段と反対側に係合リブが形成されており、前記ロック手段の解除操作によって前記弾性部材に弾発される前記蓋体は、該蓋体の爪片が前記係合リブに係合して、前記蓋体を１８０度以上の開位置に保持するように設けられていることを特徴とする飲料用容器の中栓。
【請求項３】
前記栓体の前記天板に空気孔を設け、前記弾性部材を前記蓋体が全閉した際に前記空気孔を閉塞する位置に設けたことを特徴とする請求項１又は２記載の飲料用容器の中栓。
【請求項４】
前記弾性部材は、前記空気孔を直交方向に閉塞することを特徴とする請求項１〜３のいずれか１項に記載の飲料用容器の中栓。
【請求項５】
前記弾性部材は内部が空洞であり、該空洞部に空気が出入り自由であることを特徴とする請求項１〜４のいずれか１項に記載の飲料用容器の中栓。
【発明の詳細な説明】
【技術分野】
【０００１】
本発明は、携帯用魔法瓶や水筒，スポーツドリンク容器を始めとする各種飲料用容器の中栓に係り、特に蓋体をワンタッチで開いて容器本体内の飲料を直接飲むことのできる飲料用容器の中栓に関するものである。
【背景技術】
【０００２】
飲料用容器の中栓の先行技術として、容器本体の上部開口に被着される筒状の栓体と、該栓体にヒンジにて開閉可能に連結され、栓体の天板に開口する注出口を液密に覆う蓋体と、該蓋体を全閉状態に保持するスライド式のロック手段とを備えており、蓋体を解放した栓体の上部周壁に唇をつけて飲料容器内の飲料を直接飲むことができるようにしている。そしてこの液体容器の栓体では内栓は支軸を中心として閉状態から約１８０度開き、容器本体を傾けて液体を注ぐ際には、トーションスプリングの付勢力によって内栓の閉方向への回動が規制され開状態を維持するようになっている（例えば特許文献１）。
【０００３】
また、飲料容器の注出口外周に形成されたネジ部に螺合可能な筒状のキャップ本体と、前記キャップ本体の上部に突出して形成された飲み口と、前記飲み口の外側に形成された台座と、ヒンジを介して前記台座と連設され前記飲み口を覆うための開閉蓋と、前記開閉蓋と前記キャップ本体とを係合するとともに前記開閉蓋が閉止または開放状態となる方向に付勢する弾性部材とを備えた飲料容器用キャップも知られている（例えば特許文献２）。
【０００４】
さらに、キャップ本体にヒンジを介して上蓋が開閉自在に配設され、上記キャップ本体及び上記上蓋に形成された係止機構により上記上蓋が閉蓋されるキャップにおいて、上記キャップ本体または上記上蓋の少なくとも一方の上記ヒンジ近傍にゴム状弾性体が装着され、上記上蓋の閉蓋時に上記ゴム状弾性体が上記キャップ本体及び上記上蓋間で弾性変形するよう構成されたキャップも知られている（例えば特許文献３）。
【特許文献１】特開２００１−１４９２３６号公報
【特許文献２】特開２０００−８５８２０号公報
【特許文献３】特開平７−６１４５６号公報
【発明の開示】
【発明が解決しようとする課題】
【０００５】
前記トーションスプリングを用いるものでは、水洗いにより錆るおそれがある。
【０００６】
解決しようとする問題点は、容器本体内の飲料を飲用者や飲む場所，飲料の温度に関わりなく、かつ楽な姿勢で良好に飲むことができ、また水洗いにも錆ることなく衛生的な飲料用容器の中栓を提供する点である。
【課題を解決するための手段】
【０００７】
請求項１の発明は、容器本体の上部開口に被着される栓体と、該栓体の上側にヒンジにて開閉可能に連結され、前記栓体の天板に開口する抽出口を液密に覆う蓋体とを備え、前記ヒンジと反対側に前記蓋体の全閉状態を保持するロック手段を備えた飲料用容器の中栓において、
前記蓋体にボス部を突設し、該ボス部に非金属製材料により形成した弾性部材を嵌合装着したものであって、前記蓋体を全閉した際には、前記ボス部に嵌合装着された前記弾性部材が、前記栓体に弾接する状態とし、前記ロック手段を解除した際には、前記蓋体を開方向へ付勢するようにし、
前記弾性部材の長さは、前記蓋体を全開から全閉の方向へ回動したときに、全閉位置よりもやや手前の時点で、その下端が前記天板に当接するよう設定され、
前記栓体には、前記ロック手段と反対側に係合リブが形成されており、前記ロック手段の解除操作によって前記弾性部材に弾発される前記蓋体は、該蓋体の爪片が前記係合リブに係合して、前記蓋体を１８０度以上の開位置に保持するように設けられていることを特徴とする飲料用容器の中栓である。
【０００８】
請求項２の発明は、容器本体の上部開口に被着される栓体と、該栓体の上側にヒンジにて開閉可能に連結され、前記栓体の天板に開口する抽出口を液密に覆う蓋体とを備え、前記ヒンジと反対側に前記蓋体の全閉状態を保持するロック手段を備えた飲料用容器の中栓において、
前記栓体の前記天板上面に筒状の飲み口を突出して設け、該飲み口の内部を前記注出口となすとともに、該飲み口の上端面を前記ロック手段側が高くヒンジ側が低いテーパ状にカットすると共に、前記蓋体にボス部を突設し、該ボス部に非金属製材料により形成した弾性部材を嵌合装着したものであって、前記蓋体を全閉した際には、前記ボス部に嵌合装着された前記弾性部材が、前記栓体に弾接する状態とし、前記ロック手段を解除した際には、前記蓋体を開方向へ付勢するようにし、
前記蓋体の天板は、前記飲み口のテーパ状にカットされた前記上端面と略同角度で形成され、前記蓋体の内側には、前記上端面に弾接して液密にシールするパッキンを設け、該パッキンは、前記上端面よりも大径な球面状に形成され、
前記弾性部材の長さは、前記蓋体を全開から全閉の方向へ回動したときに、全閉位置よりもやや手前の時点で、その下端が前記天板に当接するよう設定され、
前記栓体には、前記ロック手段と反対側に係合リブが形成されており、前記ロック手段の解除操作によって前記弾性部材に弾発される前記蓋体は、該蓋体の爪片が前記係合リブに係合して、前記蓋体を１８０度以上の開位置に保持するように設けられていることを特徴とする飲料用容器の中栓である。
【０００９】
請求項３の発明は、前記栓体の前記天板に空気孔を設け、前記弾性部材を前記蓋体が全閉した際に前記空気孔を閉塞する位置に設けたことを特徴とする請求項１又は２記載の飲料用容器の中栓である。
【００１０】
請求項４の発明は、前記弾性部材は、前記空気孔を直交方向に閉塞することを特徴とする請求項１〜３のいずれか１項に記載の飲料用容器の中栓である。
【００１１】
請求項５の発明は、前記弾性部材は内部が空洞であり、該空洞部に空気が出入り自由であることを特徴とする請求項１〜４のいずれか１項に記載の飲料用容器の中栓である。
【発明の効果】
【００１２】
請求項１の発明によれば、従来の金属製のばねに代えて、軟質合成樹脂やゴム等の非金属製の弾性部材で蓋体を開き方向へ付勢するようにしたから、中栓を洗浄等で水に濡らすことがあっても錆ることはなく、衛生的に優れている。またロック手段の解除操作によって弾性部材に弾発される蓋体は、爪片が係合リブに係合して、蓋体を１８０度以上の開位置に確実に保持するようになっている。
【００１３】
請求項２の発明によれば、さらに、飲み口の上端面を、ロック手段側が高くヒンジ側が低いテーパ状に傾斜させたことにより、容器本体内の飲料を容易に飲むことができる。
【００１４】
請求項３の発明によれば、さらに、弾性部材で空気孔を閉塞するようにしたことにより、専用部品を削減して製造コストの低減を図ることができる。
【００１５】
請求項４の発明によれば、弾性部材を空気孔に対して直交方向に設けることにより、空気孔の閉塞が確実に行える。
【００１６】
請求項５の発明によれば、さらに、弾性部材の内部を空洞化して内部空気を自由に出入りできるようにしたので、蓋体の開閉に伴う弾性部材の伸縮が良好に行えて、蓋体の弾発と空気孔の閉塞機能とをよく保つことができる。
【発明を実施するための最良の形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１８】
図１〜 図３は実施例１を示すもので、魔法瓶１は、金属製の容器本体２と、該容器本体２の上部開口に被着される合成樹脂製の中栓３とを備えている。容器本体２は、内筒２ａと外筒２ｂの上部開口縁を一体に接合し、内筒２ａと外筒２ｂとの間の空間を真空の断熱層４となした断熱二重構造で、外筒２ｂの上部外周には、中栓３を螺着するためのおねじ２ｃが形成されている。
【００１９】
中栓３は、めねじ５ａを外筒２ｂのおねじ２ｃに螺着して容器本体２の上部開口に装着される栓体５と、該栓体５にヒンジ６を用いて開閉可能に連結される蓋体７と、ヒンジ６とは反対側で蓋体７の全閉状態を保持するロック手段８とを備えている。
【００２０】
栓体５は、外筒２ｂの上部外周を囲繞する筒状部５ｂの上面に、容器本体２の上部開口を覆う天板５ｃを設けた逆有底筒状に形成されており、筒状部５ｂの一側部には、ロック手段８の構成部材であるシーソ式のロックボタン１０と係止環１１とが設けられている。また、天板５ｃの一側部側には飲み口５ｄが、天板５ｃの他側部側には、ヒンジ６の構成部材であるガイドリブ５ｅがそれぞれ突設され、さらに飲み口５ｄとガイドリブ５ｅとの間に空気孔１２が開設されており、飲み口５ｄと空気孔１２とは、ガイドリブ５ｅとロックボタン１０とを結ぶ直線Ｌ１上に配設されている。
【００２１】
蓋体７は、栓体５の筒状部５ｂの上側に連続する筒状部７ａと、該筒状部７ａの上面を閉塞する天板７ｂとの逆有底筒状に形成されており、さらに、ロック手段８が位置する一側部側が高く、ヒンジ６が位置する他側部側が低い傾斜形状となっている。筒状部７ａは、一側部にロック手段８の構成部材である係止リブ７ｃと係止片７ｄとが突設され、他側部にヒンジ６を構成する二股腕７ｅと開蓋状態を保持する爪片７ｆとが形成されるとともに、天板７ｂの内側には、パッキン１３と弾性部材１４とがヒンジ６のガイドリブ５ｅとロック手段８のロックボタン１０とを結ぶ直線Ｌ１上に配設されている。
【００２２】
前記ヒンジ６は、栓体５のガイドリブ５ｅを蓋体７の二股腕７ｅではさみ、これらにヒンジ軸１５を挿通することによって構成され、蓋体７は、このヒンジ６によって、栓体５の上部に開閉可能に組み付けされる。前記ロック手段８は、栓体５のロックボタン１０及び係止環１１と蓋体７の係止リブ７ｃ及び係止片７ｄとで構成され、閉位置に回動した蓋体７の係止片７ｄにロックボタン１０が係合し、さらに係止リブ７ｃに係止環１１を掛け止めることによって蓋体７の全閉状態が保持される。また、全閉状態の蓋体７を開けるには、係止リブ７ｃに掛け止めした係止環１１を外し、ロックボタン１０の下側を押して該ロックボタン１０と係止片７ｄとの係合を解除することにより、蓋体７が自身の持つ弾性部材１４の弾発力によって開口方向へ付勢されるようになっている。
【００２３】
栓体５の飲み口５ｄは、天板５ｃから飲用者が口に含むのに適した太さで蓋体７に覆われる高さの略円柱状に突設されており、その内部を飲料の注出口１６としている。飲み口５ｄの上端面５ｆは、飲み口５ｄの中心軸Ｌ２と直交する線Ｌ３よりもヒンジ６側が角度θ１分低くなるように傾斜していて、蓋体７の天板７ｂと略同じ角度で、ロック手段８側が高くヒンジ６側が低いテーパ状に形成されている。空気孔１２は、容器本体２の内部と栓体５の外部とに連通する小孔で、容器本体２内の空気を飲料の増減に伴って給排し、飲み口５ｄを飲料が良好に流通できるようにしている。
【００２４】
飲み口５ｄの上端面５ｆは、ロック手段８側の最高点とヒンジ６側の最低点とが、前述の直交方向線Ｌ３上に位置し、さらの直交方向線Ｌ３はロック手段８のロックボタン１０とを結ぶ前述の直線Ｌ１と一致して設けられており、このような構成によって、飲み口５ｄを蓋体７で覆った閉栓時に、蓋体７のパッキン１３が上端面５ｆを隙間なくシールして飲料の漏出がないようにしている。
【００２５】
なお、上端面５ｆの傾斜角度θ１は、５〜３０度の範囲が適当であり、５度以下では減少した飲料を飲む際の飲用者がその姿勢に負担を感じるようになり、また３０度以上では、上端面５ｆがかなり突出した形状となって外観上好ましくない。
【００２６】
蓋体７のパッキン１３は、飲み口５ｄの上端面５ｆよりも大径な球面状に形成されており、蓋体７を全閉した際には、飲み口５ｄの上端面５ｆに弾接して液密にシールするようになっている。弾性部材１４は、蓋体７を開方向へ付勢する従来の金属製のばねに代わるもので、シリコン等の軟質合成樹脂やゴム等の非金属製材料で有底円筒状に形成されており、上部開口を天板７ｂの内面に突設した円筒状のボス部７ｇに嵌合して蓋体７に装着されている。
【００２７】
弾性部材１４の長さは、蓋体７の全閉位置よりもやや手前に回動した時点で、その下端が栓体５の天板５ｃに当接するよう設定されており、蓋体７を全閉した際には、弾性部材１４が軸方向に縮小して下端が空気孔１２を直交方向に液密に閉塞する。また、ロック手段８による蓋体７の全閉状態を解除した際には、弾性部材１４が軸方向に伸張して蓋体７を開方向へ弾発し、弾性部材１４の下端が空気孔１２から離れて、空気孔１２が開放される。弾性部材１４内の空洞部１７は、ボス部７ｇの一側部に形成したスリット１８を通して外部と連通しており、蓋体７の開閉に伴う弾性部材１４の伸縮を良好に行えるようにしている。
【００２８】
栓体５のガイドリブ５ｅには、反ロック手段側の外面に複数の係合リブ５ｇが形成されており、ロック手段８の解除操作によって弾性部材１４に弾発される蓋体７は、天板７ｂの爪片７ｆが係合リブ５ｇの間に係合して、蓋体７を１８０度以上の開位置に保持するようになっている。
【００２９】
本形態例は、以上のように構成されており、ロック手段８を用いて蓋体７を全閉した状態では、飲み口５ｄの上端面５ｆをパッキン１３が液密にシールし、空気孔１２を弾性部材１４が液密にシールしている（ 図２）。また、ロック手段８を解除操作すると、弾性部材１４が蓋体７を弾発してヒンジ軸１５回りに開方向へ付勢し、栓体５の真横へ回動した蓋体７が爪片７ｆと係合リブ５ｇとの係合によってロックされ、栓体５の上方が開放される（ 図３）。
【００３０】
そして、容器本体２内の飲料を飲む場合には、飲み口５ｄを飲用者側に、また開状態の蓋体７を飲用者とは反対側に向けながら、飲み口５ｄに口をつけて容器本体２を飲用者側に傾けることにより、容器本体２内の飲料が飲み口５ｄより流出していく（図１）。
【００３１】
本形態例はこのように、飲み口５ｄを、栓体５の天板５ｃから筒状に突出させた形状であるため、飲用者が口の小さな子どもであったり、乗物等の振動のある場所で飲む場合にも、飲料が口の外へみだりに流れ出て衣服を濡らす虞がない。また、飲み口５ｄは、ストローやチューブのような吸引タイプではないので、冷温いずれの飲料を飲む場合にも適している。
【００３２】
さらに、飲み口５ｄの上端面５ｆが、飲み口５ｄの中心軸Ｌ２との直交線Ｌ３上にあると、図１のように水平方向に傾けた容器本体２内の飲料をさらに飲む場合には、飲用者が顔を仰向けにして体をのけ反らせる姿勢を強いられることとなるが、本形態例の飲み口５ｄは、上端面５ｆを直交線Ｌ３より角度θ１でヒンジ側を低く傾斜させているため、飲用者はムリな姿勢をせずとも容器本体２の底部側を角度θ１分だけさらに持ち上げて飲料を流出させるだけの余裕があり、容器本体２内の飲料を容易に飲むことができる。したがって、容器本体２内の飲料Ｄが減少した場合には特に有効である。
【００３３】
また、従来の金属製のばねに代えて、軟質合成樹脂やゴム等の非金属製の弾性部材１４で蓋体７を開き方向へ付勢するようにしたから、中栓３が洗浄等で水に濡れることがあっても錆ることはなく、衛生的に優れている。さらに、弾性部材１４を蓋体７側に設けたことにより、栓体５に不要な突出物がないので、飲用時に鼻が当たる等の不具合がない。また、この弾性部材１４で空気孔１２を閉塞するようにしたから、部品点数を削減して製造コストの低減が図れる。しかも、弾性部材１４を空気孔１２に対して直交方向に設けたので、空気孔１２を確実に閉塞することができる。
【００３４】
さらに、弾性部材１４を内部に空洞部１７を持つ有底円柱状とし、空洞部１７内の空気をボス部７ｇのスリット１８を通して外部へ自由に出入りできるようにしたので、蓋体７の開閉に伴う弾性部材１４の伸縮が良好に行えて、蓋体７を開方向へ付勢する機能と、空気孔１２を閉塞する機能とを長期間よく保つことができる。
【００３５】
また、飲み口５ｄの上端面５ｆにあっては、ロック手段８側の最高点とヒンジ６側の最低点とが、ロック手段８のロックボタン１０とを結ぶ直線Ｌ１上に位置するようにしたので、蓋体７を閉じた際には、パッキン１３から上端面５ｆに直交方向の力が働いて、上端面５ｆを隙間なく液密にシールするので飲料が漏出する虞がない。
【００３６】
なお、前述の形態例では、弾性部材で栓体の空気孔を塞ぐようにしたが、飲料用容器には空気孔を持たないものもあり、さらに飲料用容器に空気孔があっても、必ずしも弾性部材で空気孔を塞ぐことを限定しない。弾性部材は、内部を空洞とすることが望ましいが、充実形状とすることも妨げない。さらに、弾性部材をヒンジとロック手段とを結ぶ直線以外の場所に配設することも自由である。
【産業上の利用可能性】
【００３７】
以上のように本発明に係る飲料用容器の中栓は、各種の用途に適用できる。
【図面の簡単な説明】
【００３８】
【図１】本発明の第１実施例を示す 図３のＩ−Ｉ断面図
【図２】本発明の第１実施例を示す魔法瓶上部の断面図
【図３】本発明の第１実施例を示す魔法瓶の開蓋平面図
【符号の説明】
【００３９】
１…魔法瓶（本発明の飲料用容器）
２…容器本体
２ａ…内筒
２ｂ…外筒
３…中栓
４…断熱層
５…栓体
５ｂ…筒状部
５ｃ…天板
５ｄ…飲み口
５ｅ…ガイドリブ
５ｆ…飲み口５ｄの上端面
５ｇ…係合リブ
５…取り付け環
６…ヒンジ
７…蓋体
７ａ…筒状部
７ｂ…天板
７ｃ…係止リブ
７ｄ…係止片
７ｅ…二股腕
７ｆ…爪片
７ｇ…ボス部
８…ロック手段
１０…ロックボタン
１１…係止環
１２…空気孔
１３…パッキン
１４…弾性部材
１６…注出口
１７…空洞部
１８…スリット
２０…飲み口
２０ａ…飲み口２０の上端面
【図１】
0004470224.tif 000002
【図２】
0004470224.tif 000003
【図３】
0004470224.tif 000004